(57)【要約】【課題】  印刷装置のトレイやカバーで、トレイの回転力を規制して、滑らかに開くようにするための機構で、欠歯やコストのかかる複数のダンパーを用いずにトレイの回動力の変化（最初ゆっくり、最後早い）に対応する機構の提案を目的とする。【解決手段】  トレイやカバーの回転軸に連れ回りするホルダとホルダに回転自在に固定されたダンパーを設け、ホルダの連れ回りする動きを設定された位置で規制することにより、トレイの回転の変化に対応した回転の抵抗を設定する。【選択図】  図１
2007161366.tif 000002
【特許請求の範囲】
【請求項１】
筐体と、筐体から自重を利用して回転しながら開くトレイを持ち、トレイの回転軸には歯車があり、歯車を持つ回転式ダンパーが配置され、前記トレイの回転軸、ダンパーの回転軸はホルダに回動自由に保持される印刷装置において、
トレイの回転によってホルダは連れ回りし、設定された角度まで回転すると、ホルダは筐体に設置されたストッパに当接しホルダはそれ以上回転しない構造である事を特徴とする印刷装置。
【請求項２】
請求項１に記載された回転式ダンパーは、前記ホルダが筐体に設置されたストッパに当接した後、前記トレイの回転が歯車を介して伝達される事を特徴とする印刷装置。
【発明の詳細な説明】
【技術分野】
【０００１】
本発明は印刷装置の構成において、紙を保持するトレイの回転緩衝機構の構造に関するものである。
【背景技術】
【０００２】
近年の印刷装置では、差別化の為、質感や動作の高級感が求められている。印字装置で用紙を保持するトレイや、インク等を交換する為のカバーも、ロックを外すと自重で回転して開くタイプはそのまま開くとトレイの静止位置に衝撃的に当る場合があり、高級感を出す為に、オイルの粘性等を利用した抵抗ダンパーを用いてトレイの回転力を規制して、滑らかに開くような機構を組み込む印字装置も増えてきた。
【０００３】
具体的には、特開2003-4078で開示されている扉の回転を歯車で抵抗ダンパーに伝え、扉の回転力を規制するものである。
【０００４】
しかしながら、回動力に自重を用いている為、トレイの姿勢で回動力が変化する。
【０００５】
具体的には開き初めは回動力が小さく、開くにつれて回動力は大きくなる。
【０００６】
よって、静止位置付近の回動力にダンパーの特性を合わすと、トレイの開き始めはダンパーの抵抗が大きすぎ、トレイの開ききる時間が掛かりすぎる問題があった。
【０００７】
この点を改良する例として特開平8-127434に開示されている、欠歯周りにダンパーを配置し、欠歯の回転によって噛合うダンパーの数を変えて抵抗力を調整する方法があるが、欠歯とダンパーの噛合い時、歯車の歯に大きな力がかかるため、歯の負担が大きい問題があった。
【０００８】
また、高価なダンパーを複数必要とするためコスト高となる問題があった。
【特許文献１】特開２００３−４０７８号公報
【特許文献２】特開平８−１２７４３４号公報
【発明の開示】
【発明が解決しようとする課題】
【０００９】
本発明は以上の点に鑑み、欠歯やコストのかかる複数のダンパーを用いずにトレイの回動力の変化に対応する機構の提案を目的とする。
【課題を解決するための手段】
【００１０】
筐体と、筐体から自重を利用して回転しながら開くトレイを持ち、トレイの回転軸には歯車があり、歯車を持つ回転式ダンパーが配置され、前記トレイの回転軸、ダンパーの回転軸はホルダに回動自由に保持される印刷装置において、
トレイの回転によってホルダは連れ回りし、設定された角度まで回転すると、ホルダは筐体に設置されたストッパに当接しホルダはそれ以上回転しない構造である事を特徴とする。
【発明の効果】
【００１１】
以上本発明によれば、ひとつのダンパーでトレイの回転の変化に対応した回転の抵抗を設定する事ができ、トレイの回転時間の増加無しに高級感のある滑らかな動きを、コストを上げることなく実現することが可能となる。
【発明を実施するための最良の形態】
【００１２】
図４は本発明の収納状態の模式的外観図で、１０１は収納状態の排紙トレイである。
【００１３】
図５は本発明の使用状態の模式的外観図である。５０１は印刷装置、１０１は開いた状態の排紙トレイで、印字後排紙された用紙５０２を図の様に支える。５０３は排紙トレイ１０１を開く為のレバーで、これを押すと排紙トレイ１０１のロックが外れ、トレイ自身の自重で、図４で示した収納位置から図５で示す回動後の静止位置まで動作する。
【００１４】
図１は本発明の回転式トレイのダンパーを用いた緩衝装置の部分的模式図である。
【００１５】
１０１は回転式トレイで１０２が回転軸である。回転軸には歯車が切ってあり、中間歯車１０３を介して回転型抵抗ダンパー１０４の回転軸へ回転を伝える。
【００１６】
中間歯車１０３は回転式トレイ１０２と回転型抵抗ダンパーの位置を調整するもので、無くても良い。
【００１７】
回転式トレイ１０１の回転軸、中間歯車１０３、回転型抵抗ダンパー１０４の回転軸はホルダ１０５に回転可能に勘合されている。
【００１８】
特に回転式トレイ１０１の回転軸とホルダ１０５は回転可能だが、ある程度の抵抗を持ち、回転式トレイ１０１が回転すると、ホルダ１０５はそれにつられて連れ回りする設定になっている。
【００１９】
１０６はホルダ１０５の動きを規制するストッパ１０６で印字装置５０１本体に装着されている。
【００２０】
図５で示したレバー５０３を押すと回転式トレイ１０１の図示しないロックが外れ回転を始めるが、開き始めは回転式トレイ１０１の重心１０８は回転式トレイ１０１の回転中心１０７からのずれは小さい為回転式トレイ１０１の回転トルクは小さい。
【００２１】
回転式トレイ１０１の回転にしたがってホルダ１０５は連れ回りを始め、それに回転可能に勘合している中間歯車１０３、回転式抵抗ダンパー１０４も一緒に回る。
【００２２】
但し回転式抵抗ダンパー１０４自体に回転は伝わらないので、回転式トレイ１０１の回転に回転式抵抗ダンパー１０４の抵抗は無いため回転が不必要に遅くなる事は無い。
【００２３】
図２は回転式トレイ１０１がある程度回転した状態の模式図である。回転式トレイ１０１の重心１０８は次第に回転式トレイ１０１の回転中心１０７から離れて回転トルクが増加してくる。回転式トレイ１０１の回転にしたがってA方向に連れ回りしていたホルダ１０５は、ストッパ１０６と当接し、ホルダ１０５の連れ回りはここで停止する。
【００２４】
ホルダ１０５とストッパ１０６の当る位置は、回転式トレイ１０１の重量や回転式抵抗ダンパー１０４の特性を考慮して、自由に設定できる。
【００２５】
図３はホルダ１０５が連れ回りが停止した後の模式図である。
【００２６】
回転式トレイ１０１の重心１０８は回転中心１０７から更に離れ、回転トルクは更に増し回転式トレイ１０１の回転は勢いを増そうとするが、ホルダ１０５がストッパ１０６に当接した時点から、回転式トレイ１０１の回転は回転軸１０２の歯車から中間歯車１０３を介して回転式抵抗ダンパー１０４に伝達され、回転の抵抗となる様になる。
【００２７】
よって回転式トレイ１０１の回転の勢いは規制され、回転式トレイ１０１の静止位置まで滑らかに回転して停止する。
【図面の簡単な説明】
【００２８】
【図１】本発明の実施状態を示す模式的外観図である。
【図２】本発明の実施状態を示す模式的斜視図である。
【図３】本発明の印字デバイスの模式的斜視図である。
【図４】本発明の実施例における印刷装置の模式的動作図である。
【図５】本発明の実施例における印刷装置の模式的動作図である。
【符号の説明】
【００２９】
１０１  回転式トレイ
１０４  回転型抵抗ダンパー
１０５  ホルダ
【図１】
2007161366.tif 000003
【図２】
2007161366.tif 000004
【図３】
2007161366.tif 000005
【図４】
2007161366.tif 000006
【図５】
2007161366.tif 000007